(57)【要約】【課題】簡単な構成で形成された端子台ユニットを提供する。【解決手段】入力電線を接続する入力部２１１ａｂと出力電線１４５を接続した出力面２１２とを有する直方体形状の端子台２１０と、端子台２１０を収納した箱形状のケース２２０とを備え、ケース２２０は、端子台２１０の五面を覆ったカバー面２２７と、端子台２１０の一面を露出させた挿入面２２１とを有し、カバー面２２７は、入力部２１１ａｂを露出させた入力開口部２２２ａと、出力面２１２に接続された出力電線１４５を引き出した切欠き部を有する。【選択図】図２２
2018133260.tif 000002
【特許請求の範囲】
【請求項１】
入力電線を接続する入力部と出力電線を接続した出力面とを有する直方体形状の端子台と、
前記端子台を収納した箱形状のケースと
を備え、
前記ケースは、
前記端子台の五面を覆ったカバー面と、
前記端子台の一面を露出させた挿入面と
を有し、
前記カバー面は、前記入力部を露出させた入力開口部と、前記出力面に接続された前記出力電線を引き出した切欠き部を有する端子台ユニット。
【請求項２】
前記挿入面は、取付材に前記ケースを取り付けるための取付片を有する請求項１に記載の端子台ユニット。
【請求項３】
前記端子台は、入力部が配置された入力面を有し、
前記カバー面は、前記入力面の一部を覆うとともに、前記入力面にある前記入力部を前記入力開口部から露出させたケース前面を有する請求項１又は２に記載の端子台ユニット。
【請求項４】
前記入力面は、入力部が配置された凸面と前記凸面よりへこんだ凹面とを有し、
前記ケース前面は、前記凸面を露出させた入力開口部と、前記凹面を覆った表示面とを有する請求項３に記載の端子台ユニット。
【請求項５】
前記端子台は、突起部を有し、
前記カバー面は、前記突起を受ける突起受部が形成された背面を有する請求項１から４いずれか１項に記載の端子台ユニット。
【請求項６】
請求項１から５いずれか１項に記載の端子台ユニットと、
端子台ユニットを取り付けた取付部品と
を備えた照明器具。
【請求項７】
入力電線を接続する入力部と出力電線を接続した出力面とを有する直方体形状の端子台と、
前記端子台の五面を覆ったカバー面と前記端子台の一面を露出させた挿入面とを有するケースと
を備えた端子台ユニットの組立方法において、
前記カバー面は、入力開口部と切欠き部とを有し、
前記端子台を前記挿入面から前記カバー面の内部に挿入して、前記カバー面の前記入力開口部から前記入力部を露出させ、前記カバー面の前記切欠き部から前記入力部に接続された前記出力電線を引き出し、更に、前記端子台を前記ケースに固定する端子台ユニットの組立方法。
【請求項８】
前記端子台は、突起部を有し、
前記切欠き部は、突起受部を有し、
前記突起部を突起受部に嵌め込む請求項７に記載の端子台ユニットの組立方法。
【請求項９】
前記端子台は、電線を接続する入力部が配置された凸面と前記凸面よりへこんだ凹面とを有し、
前記ケースは、前記凸面を露出させる入力開口部と、前記凹面を覆う表示面とを有し、
前記凸面が前記入力開口部に配置され、前記凹面が前記表示面と対向するように、前記端子台を前記ケースに挿入する請求項７又は８に記載の端子台ユニットの組立方法。
【発明の詳細な説明】
【技術分野】
【０００１】
本発明は、端子台ユニット、照明器具、及び、これらの組立方法に関するものである。
【背景技術】
【０００２】
従来より、天井に取り付けられる照明器具において、点灯装置、アームなどが光源ユニットに一体に配設された照明器具がある。
【０００３】
特許文献１には、体育館又はホールなどの高天井に取り付けられる照明器具が開示されている。この照明器具は、背面に放熱フィンが設けられ角型の光源ユニットと、この放熱フィンと対向するように設置される点灯装置と、この点灯装置を跨ぐように光源ユニットに取り付けされるＵ字形状をしたアームを備えた照明器具である。
この照明器具は、アームが吊りボルトなどの固定具によって天井に取り付けられることで、天井に設置される。
また、この照明器具は、点灯装置に端子台が一体に形成されており、端子台に商用電源からの電力供給を受けるための電源線が挿し込まれ、電力が供給される。
【０００４】
また、従来より、端子台をケースに収納して保護しているものがある。
特許文献２では、端子台が、ケースに収納されて、箱形状をした器具の背面に取り付けられている。
【先行技術文献】
【特許文献】
【０００５】
【特許文献１】特開２０１６−１００３１８号公報
【特許文献２】特開２００９−０５２７６７号公報
【発明の概要】
【発明が解決しようとする課題】
【０００６】
特許文献２の照明器具は、端子台を収納するケースが２つの部材で形成されており、ケースの一方の部材に端子台を固定した状態で他方のケースを取り付けて端子台を収納している。さらに、そのケースを器具に取り付けている。そのため、部材も多く、取り付け作業が煩雑である。
【０００７】
そこで本発明は、簡単な構成で形成された端子台ユニットを提供することを目的とする。
【課題を解決するための手段】
【０００８】
本発明の端子台ユニットは、
入力電線を接続する入力部と出力電線を接続した出力面とを有する直方体形状の端子台と、
前記端子台を収納した箱形状のケースと
を備え、
前記ケースは、
前記端子台の五面を覆ったカバー面と、
前記端子台の一面を露出させた挿入面と
を有し、
前記カバー面は、前記入力部を露出させた入力開口部と、前記出力面に接続された前記出力電線を引き出した切欠き部を有する。
【発明の効果】
【０００９】
本発明によれば、簡単な構成で形成された端子台ユニットを提供することができる。
【図面の簡単な説明】
【００１０】
【図１】実施の形態１の照明器具１００の斜視図である。
【図２】実施の形態１の照明器具１００の正面図である。
【図３】実施の形態１の照明器具１００の左側面図である。
【図４】実施の形態１の照明器具１００の底面図である。
【図５】実施の形態１の照明器具１００の平面図である。
【図６】実施の形態１の照明器具１００の正面図の中央断面図である。
【図７】実施の形態１の照明器具１００の分解斜視図である。
【図８】実施の形態１の光源ユニット８０、カバー９０、及び、支柱枠組５０の斜視図である。
【図９】実施の形態１のヒートシンク８２の斜視図である。
【図１０】実施の形態２の正四角柱の照明器具１００の斜視図である。
【図１１】実施の形態２の正四角柱の照明器具１００の４面図と断面図である。
【図１２】実施の形態２の正四角柱の照明器具１００の分解斜視図である。
【図１３】実施の形態２の２個の光源ユニットを有する照明器具１００の斜視図である。
【図１４】実施の形態２の２個の光源ユニットを有する照明器具１００の４面図と断面図である。
【図１５】実施の形態２の２個の光源ユニットを有する照明器具１００の斜視図である。
【図１６】実施の形態２の２個の光源ユニットを有する照明器具１００の４面図と断面図である。
【図１７】実施の形態３の支柱枠組５０の平面概略図である。
【図１８】実施の形態３の主支柱５３の斜視図である。
【図１９】実施の形態４の照明器具１００の斜視図である。
【図２０】実施の形態４の照明器具１００の側面図である。
【図２１】実施の形態４の照明器具１００の分解斜視図である。
【図２２】実施の形態４の端子台ユニット２００の分解斜視図である。
【図２３】実施の形態４の端子台ユニット２００のＡ−Ａ断面である。
【図２４】実施の形態４の端子台ユニット２００の組み立て図である。
【図２５】実施の形態５の照明器具１００の斜視図である。
【図２６】実施の形態５の端子台ユニット２００の斜視図と分解斜視図である。
【図２７】実施の形態５の電源装置６００と照明器具１００の配線図である。
【図２８】実施の形態６の電源装置６００と照明器具１００の斜視図である。
【発明を実施するための形態】
【００１１】
実施の形態１．
以下に説明する各図において、Ｚは上下方向を示す。
Ｘは、左右方向すなわち横方向を示す。
Ｙは、前後方向すなわち奥行き方向を示す。
Ｘ、Ｙ、Ｚは、直交しており、Ｘ、Ｙは水平方向であり、Ｚは垂直方向である。
また、以下において、「ネジ止め」という場合には、ネジがねじ込まれるネジ穴がネジ止めされる複数の部品にそれぞれ存在するものとする。
【００１２】
＊＊＊構成の説明＊＊＊
＜＜＜照明器具１００の構成＞＞＞
【００１３】
図１、図７に示すように、照明器具１００は、アーム２０と、電源ユニット３０と、天板４０と、支柱枠組５０と、光源ユニット８０と、カバー９０とを有する。
アーム２０は、照明器具１００を、天井又は梁に取り付けるものである。
図１、図２に示すように、アーム２０の両端部は、照明器具１００の両側面の中央に取り付けられている。
図３、図６に示すとおり、アーム２０は、コ字状又はＵ字形状をしている。アーム２０の両端部には、上下に弧状穴２４と軸穴２８がある。
電源ユニット３０は、光源ユニット８０に電力を供給する電源回路を有している。
電源ユニット３０は、六面体の箱状の金属製筐体を有する。
天板４０は、上面中央に電源ユニット３０を載せて電源ユニット３０を固定している。
天板４０は、支柱枠組５０の上面に固定され、光源ユニット８０を覆っている。
天板４０は、金属製である。
天板４０は、板部４２とスカート部４４とを有している。
板部４２は、上面中央に電源ユニット３０を載せて電源ユニット３０を固定している。
板部４２は、矩形の薄い平板である。
板部４２は、中央付近に電源ユニット３０を固定する４個のネジ穴を有する。
板部４２は、左右方向の中央で前後方向の端縁部に中間支柱６１を固定するネジ穴を有する。
スカート部４４は、板部４２の外周の端部からスカート状に垂れた板である。
スカート部４４は、天板４０の強度補強のために設けられている。
スカート部４４は、天板４０の角に沿って直角に曲げられ、天板４０の角の下方をカバーしている。
スカート部４４は、左右に１個ずつあり、平面形状が、コ字形をしている。
スカート部４４は、４個すべての主支柱の上端の外面を覆っている。
スカート部４４は、支柱板５６の上端を締結するネジ穴を有する。
支柱枠組５０は、光源ユニット８０を収納している。支柱枠組５０の上面は、天板４０で覆われている。
支柱枠組５０の下面は、カバー９０で覆われている。
支柱枠組５０は、金属製である。
光源ユニット８０は、支柱枠組５０に固定され、電源ユニット３０から電力の供給を受け、光源を発光させる。
カバー９０は、支柱枠組５０に固定され、光源ユニット８０の前面を覆っている。
カバー９０は、プラスチック製又は樹脂製である。
【００１４】
図４、図５に示すように、照明器具１００の平面形状は、矩形あるいは長方形である。
天板４０と、支柱枠組５０と、光源ユニット８０と、カバー９０の平面形状はほぼ同じサイズの四角形状であり、照明器具１００の平面形状と同じ四角形状である。
【００１５】
＜＜＜支柱枠組５０の構成＞＞＞
図８に示すとおり、支柱枠組５０は、柱状の配置空間９２を形成している。
ここで、「配置空間」とは、一つの光源ユニット８０を配置する空間をいう。
図８では、配置空間９２は、四角柱である。
支柱枠組５０の配置空間９２の上部と下部とは解放されており、支柱枠組５０の上部には、上開口部９４が形成され、支柱枠組５０の下部には、下開口部９５が形成されている。
【００１６】
図８に示すとおり、支柱枠組５０は、以下の部品からなる。
１．４個の主支柱（２個の主支柱５１、２個の主支柱５２）
２．４個のガード（２個のガード７１、２個のガード７２）
３．２個の中間支柱６１
【００１７】
主支柱は、１枚の金属板を直角に折り曲げたものである。
主支柱は、四角柱の配置空間９２の４か所のコーナに設けられている。
主支柱は、上開口部９４から下開口部９５に渡って配置されている。
２個の主支柱５１は、配置空間９２の対角線上のコーナに設けられている。
２個の主支柱５２は、配置空間９２の別な対角線上のコーナに設けられている。
主支柱５１は、矩形の支柱板５５と支柱板５６を有している。
支柱板５５と支柱板５６とは、上開口部９４から下開口部９５に渡って配置された長板であり、支柱板５５の面と支柱板５６の面とは直交している。
主支柱の高さが、支柱枠組５０の高さ、すなわち、配置空間９２の高さとなる。
主支柱５１の支柱板５５は、下端に配置空間９２の内側に向かって突出した主取付部５７を有する。主取付部５７の中央には、ネジ穴５９がある。
主支柱５１の支柱板５６は、上端にネジ挿入部６０を有する。ネジ挿入部６０はネジ穴である。
支柱板５５と支柱板５６とは、上下に配置された３個のネジ穴５８を有する。
【００１８】
主支柱５２の構成は、主支柱５１の構成と、支柱板５５と支柱板５６の位置が逆になる点を除き同じである。すなわち、図８の支柱枠組５０の中央から見て、主支柱５１は支柱板５５の左サイドに支柱板５６があり、主支柱５２は支柱板５５の右サイドに支柱板５６がある。
【００１９】
ガード７１とガード７２は、長さが異なる金属板である。
ガード７１とガード７２の長さの比は、２：３である。
ガード７１は、前後方向にある主支柱を連結している。
ガード７２は、左右方向にある主支柱を連結している。
【００２０】
ガード７１とガード７２は、両端部にネジ穴がある。
ガードのネジ穴と支柱板のネジ穴とをネジでネジ止めする。
図８においては、支柱板の上下方向にある３個のネジ穴５８のうち、中央のネジ穴５８にガードをネジ止めしている。したがって、ガード７１とガード７２は、配置空間９２の上下方向の中央を横切って配置されている。
ガード７１とガード７２は、中央にガード穴７５を有している。
【００２１】
中間支柱６１は、２本の主支柱の間に、２本の主支柱と平行に取り付けられている。
中間支柱６１の高さは、主支柱の高さと同じである。
中間支柱６１は、金属製である。
中間支柱６１は、矩形の平板６２を有している。
中間支柱６１の平板６２は、下端に配置空間９２の内側に向かって突出した中間取付部６３を有する。中間取付部６３には、左右２個のネジ穴６８がある。
中間支柱６１の平板６２は、上端に配置空間９２の内側に向かって突出した天取付部６５を有する。天取付部６５には、左右２個のネジ穴がある。
中間支柱６１は、上下方向に２個の平板穴を有する。すなわち、平板６２の中央に、平板穴６７を有し、平板穴６７の上に平板穴６６を有する。平板穴６７の位置は、ガード７２のガード穴７５の位置と一致している。
中間支柱６１の平板６２は、左右の長辺に沿って、配置空間９２の内側に向かって突出した補強部６４を有する。補強部６４は、ガード７２と重なる部分を除き、合計４か所に形成されている。
【００２２】
上開口部９４の外郭面積と、下開口部９５の外郭面積は、同じである。
中間支柱６１を取り付けていない支柱枠組５０の場合、上開口部９４には２個の天取付部６５があるので、上開口部９４の開口面積は、２個の天取付部６５の面積を除いた面積となる。
下開口部９５には４個の主取付部５７と２個の中間取付部６３があるので、下開口部９５の開口面積は、４個の主取付部５７と２個の中間取付部６３の面積を除いた面積となる。
その結果、上開口部９４の開口面積は、下開口部９５の開口面積より大きい。
中間支柱６１を取り付けていない支柱枠組５０の場合、上開口部９４には２個の天取付部６５がなく、下開口部９５には４個の主取付部５７があるので、上開口部９４の開口面積は、下開口部９５の開口面積より大きい。
【００２３】
＜＜＜支柱枠組５０の主支柱と中間支柱とのネジ穴の位置＞＞＞
図４は、照明器具１００の底面図である。
４個の主支柱の主取付部５７は、ネジ穴５９を介して、カバー９０のコーナにネジ止めされている。
中間支柱６１は、照明器具１００の左右方向の中央に取り付けられている。
中間支柱６１の中間取付部６３は、２個のネジ穴６８を介して、カバー９０の中央部分にネジ止めされている。
左右方向において、支柱枠組５０の端部とネジ穴５９との距離Ｗ１０は、支柱枠組５０の左右２等分線とネジ穴６８との距離Ｗ９と等しい。
【００２４】
＜＜＜光源ユニット８０の構成＞＞＞
図８に示すように、光源ユニット８０は、ヒートシンク８２とＬＥＤ基板８６とを有している。
ＬＥＤ基板８６の上面全体は、ヒートシンク８２の下面全体に、面接触している。
ＬＥＤ基板８６は、左右方向に３個のＬＥＤ８１を配置し、前後方向に２個のＬＥＤ８１を配置し、合計６個のＬＥＤ８１を配列している。
以下、Ｍ個のＬＥＤ８１を行に配置し、Ｎ個のＬＥＤ８１を列に配置した光源ユニット８０を、Ｍ×Ｎの光源ユニット８０と呼ぶことにする。
【００２５】
図６に示すように、カバー９０はＬＥＤ８１に対応するようにＭ×Ｎ個の反射鏡８７を有している。なお、反射鏡８７の開口部（頂部側または底部側）は透明または透光性の樹脂部品で蓋をするあるいは光学レンズを挿入するようにするとカバー９０内にほこりなどが入り込まないようにすることができる。また光学部品により光学特性を変えることができる。
図６に示すように、ＬＥＤ８１には、反射鏡８７が取り付けられる。図７では、反射鏡８７を図示していないが、各ＬＥＤ８１に対応して、反射鏡８７がカバー９０に取り付けられる。
【００２６】
＜＜＜ヒートシンク８２の構成＞＞＞
図９に示すように、ヒートシンク８２は、矩形状の放熱板８３と、複数の放熱フィン８４とを有する。ヒートシンク８２は、金属製である。
放熱フィン８４は、放熱板８３から立設されている。
放熱フィン８４は、高さＨ１、幅Ｈ２の矩形平板である。
放熱フィン８４は、前後方向に並列に等間隔で配列されている。
左右方向に隣り合う放熱フィン８４は、長さＷ２のフィン隙間８５を間にして配置されている。
放熱フィン８４の高さＨ１と幅Ｈ２との比は、１：１である。
フィン隙間８５の長さＷ２と放熱フィン８４の幅Ｈ２との比は、１：５である。
【００２７】
放熱フィン８４は、少なくともＬＥＤ８１の直上に配置されている。
フィン隙間８５は、ＬＥＤ８１が配置されていない場所に形成されている。
フィン隙間８５は、光源ユニット８０の左右方向に配置された３個のＬＥＤ８１の間にあり、光源ユニット８０の前後方向に渡って溝状に形成されている。
フィン隙間８５は、２行３列のＬＥＤが配列されている２×３の光源ユニット８０に対して、３列のＬＥＤの間に２個だけ形成される。
すなわち、フィン隙間８５は、Ｍ行Ｎ列のＬＥＤが配列されているＭ×Ｎの光源ユニット８０に対し、Ｍ＜Ｎの場合に、Ｎ列のＬＥＤの間にＮ−１個だけ形成される。
以上のように、ヒートシンク８２はＬＥＤ８１の配置に合わせて放熱フィン８４を配置している。
【００２８】
＊＊＊放熱構造の説明＊＊＊
図２を用いて、放熱構造について説明する。
図２に示す記号の意味は以下のとおりである。
Ｗ１：放熱空間９６の上下方向の長さ
Ｗ２：フィン隙間８５の左右方向の長さ
Ｗ３：上通気窓９８の上下方向の長さ
Ｗ４：下通気窓９９の上下方向の長さ
Ｗ５：中間支柱６１の幅
Ｗ６：ガード７２の上下方向の長さ
Ｗ７：主支柱５１と主支柱５２との支柱板５５と支柱板５６との左右方向の幅
Ｗ８：上通気窓９８と下通気窓９９の左右方向の長さ
【００２９】
ヒートシンク８２は、放熱空間９６を介して天板４０に覆われている。
支柱枠組５０は、ヒートシンク８２と天板４０との間に長さＷ１の放熱空間９６を形成して、光源ユニット８０と天板４０とを固定している。すなわち、放熱フィン８４の上端と天板４０の下面との間には、長さＷ１の放熱空間９６が存在する。
長さＷ１は、放熱フィン８４の高さＨ１の０．５倍以上あることが好ましい。
あるいは、長さＷ１は、４０ｍｍ以上であることが好ましい。
【００３０】
図２に示すとおり、ガード７２は、主支柱の上下方向の中央部分を連結しており、ガード７２の上下の長さは、長さＷ６である。
照明器具１００は、ガード７２から主支柱の上端まで長さＷ３の上通気窓９８を有する。
照明器具１００は、ガード７２から主支柱の下端まで長さＷ４の下通気窓９９を有する。
上通気窓９８と下通気窓９９との左右方向の長さは、長さＷ８である。
上通気窓９８は、ガード７２の上端と支柱枠組５０の上面との間にあり、上通気窓９８の長さＷ３は、放熱空間９６の長さＷ１以上の長さである。
下通気窓９９は、ガード７２の下端と支柱枠組５０の下面との間にあり、上通気窓９８の長さＷ３と、下通気窓９９の長さＷ４とは、同じ又は同等の長さである。
上通気窓９８と下通気窓９９との左右方向の幅Ｗ８は、主支柱と中間支柱との間の距離である。
上通気窓９８と下通気窓９９との左右方向の幅Ｗ８は、支柱枠組５０の長辺の長さから、中間支柱６１の幅Ｗ５と、主支柱５１の支柱板５５の幅Ｗ７と、主支柱５２の支柱板５５の幅Ｗ７とを減じた長さの半分である。
図３のとおり、上通気窓９８と下通気窓９９との前後方向の幅は、支柱枠組５０の短辺の長さから、主支柱５１の支柱板５６の幅Ｗ７と、主支柱５２の支柱板５６の幅Ｗ７とを減じた長さである。
以上の構造により、放熱空間９６の前後左右は、６か所の上通気窓９８により外部空間と連通している。また、ヒートシンク８２の前後左右は、６か所の下通気窓９９により外部空間と連通している。
【００３１】
放熱フィン８４と放熱フィン８４の間には、長さＷ２のフィン隙間８５が存在する。
フィン隙間８５の長さＷ２は、放熱フィン８４の幅Ｈ２の０．２倍以上あることが好ましい。あるいは、長さＷ２は、１０ｍｍ以上であることが好ましい。
図２に示すとおり、中間支柱６１の幅Ｗ５は、放熱フィン８４の幅Ｈ２よりも小さい。
フィン隙間８５は、支柱枠組５０の側面視で、中間支柱６１と重ならない位置に形成されている。
フィン隙間８５は、支柱枠組５０の側面視で、下通気窓９９に露出されている位置に形成されている。
【００３２】
図２において、中間支柱６１の幅Ｗ５は、支柱板５５の左右方向の長さの０．１７倍又は０．２倍以下である。
図２において、ガード７２の幅Ｗ６は、支柱板５５の上下方向の長さの０．１８倍又は０．２倍以下である。
図２において、主支柱５１と主支柱５２の幅Ｗ７は、支柱板５５の左右方向の長さの０．０９倍又は０．１倍以下である。
図２に示す上通気窓９８と下通気窓９９との合計面積に対する支柱枠組５０の正面面積の通気面積比は、５０％又は５０％以上である。
通気面積比は、４０％以上８０％以下であればよく、放熱効果を高めるためには、通気面積比は、６０％以上であることが望ましい。
【００３３】
図３において、ガード７２の幅Ｗ６は、支柱板５５の上下方向の長さの０．１８倍又は０．２倍以下である。
図３において、主支柱５１と主支柱５２の幅Ｗ７は、支柱板５５の前後方向の長さの０．１４倍又は０．１５倍以下である。
図３に示す上通気窓９８と下通気窓９９との合計面積に対する支柱枠組５０の側面面積の通気面積比は、５０％又は５０％以上である。
通気面積比は、４０％以上８０％以下であればよく、放熱効果を高めるためには、通気面積比は、６０％以上であることが望ましい。
【００３４】
＊＊＊放熱動作の説明＊＊＊
ヒートシンク８２で発生した暖気は天板４０に向かって上昇する。
ヒートシンク８２の全面上空には放熱空間９６があり、暖気は放熱空間９６に向かって上昇する。
図２、図３に示すとおり、放熱空間９６の周囲には上通気窓９８があり、上通気窓９８から外に流出する。
上通気窓９８は前後左右方向にあるため、３６０度のいずれの方向対しても暖気を逃がすことができる。また、いずれの方向からの風でも通過させることができる。
【００３５】
また、図９に示すとおり、フィン隙間８５があるので、フィン隙間８５にある暖気は前後方向に流れ出る。
図２に示す通り、フィン隙間８５は、下通気窓９９に露出しており、フィン隙間８５の暖気は、下通気窓９９から外部に排出される。
【００３６】
＊＊＊支柱枠組５０の製造方法の説明＊＊＊
１．主支柱の製造
配置空間９２のコーナに配置される４個の主支柱を製造する。
すなわち、主支柱５１、主支柱５２を製造する。
２．ガードの製造
長さの異なる複数種類のガードを製造する。
ここでは、長さの比が２：３のガード７１とガード７２とを製造する。
３．中間支柱６１の製造
中間支柱６１を製造する。
４．ガードの選択
ガード７１とガード７２の２種類のガードから配置空間９２のサイズすなわち光源ユニットのサイズに合致する長さのガードを選択する。ここでの選択肢は、以下のいずれかである。
（１）４個のガード７１
（２）２個のガード７１と２本のガード７２
（１）４個のガード７２
図１から図８に示す光源ユニット８０は、２×３の光源ユニット８０である。したがって、ここでは、光源ユニット８０のサイズに合致する長さを有する２個のガード７１と２個のガード７２を選択する。
すなわち、光源ユニット８０の短辺の長さと同じ長さのガード７１を２個選択し、光源ユニット８０の長辺の長さと同じ長さのガード７２を２個選択する。
５．組立
次に、主支柱と選択したガードとを締結部品で締結して光源ユニット８０のサイズに合致するサイズの配置空間を有する支柱枠組５０を組み立てる。
具体的には、以下の作業をする。
左側面の主支柱５１の支柱板５６と、主支柱５２の支柱板５６と、ガード７１とを組み合わせてネジ止めする。
右側面の主支柱５１の支柱板５６と、主支柱５２の支柱板５６と、ガード７１とを組み合わせてネジ止めする。
正面の主支柱５１の支柱板５５と、主支柱５２の支柱板５５と、ガード７２とを組み合わせてネジ止めする。
後面の主支柱５１の支柱板５５と、主支柱５２の支柱板５５と、ガード７２とを組み合わせてネジ止めする。
この時点で、中間支柱６１を除いた支柱枠組５０が組み立てられたことになる。
【００３７】
ここで、「組み合わせ」又は「組み立て」とは、複数の個別の部品を合わせてまとまったものに作り上げることをいう。
また、「組み合わせ」又は「組み立て」とは、２つ以上の部品を締結手段で一緒に組み付けることをいう。
締結手段の好適な具体例は、締結部品、溶接、かしめ、半田付け、又は、はめ込みである。
締結部品の好適な具体例は、ネジ、ボルトナット、リベット、クリップ、又は、接着剤である。
ここでの、「組み合わせ」又は「組み立て」とは、主支柱とガードとの２種類の部品を組み合わせた支柱枠組５０という集合部品を作り上げることをいう。
さらに、中間支柱も合わせれば、「組み合わせ」又は「組み立て」とは、主支柱とガードと中間支柱との３種類の部品を組み合わせた支柱枠組５０という集合部品を作り上げることをいう。
【００３８】
締結部品として、ネジ、又は、ボルトナットを用いる場合は、ガードと主支柱と中間支柱とを着脱可能に取り付けることができる。
ここで、「着脱可能」とは、複数の部品を人間の指の力で着脱できる場合をいう。又は、複数の部品を手工具又は電動工具で着脱できる場合をいう。
溶接、かしめ、半田付け、又は、接着は、「着脱可能」とは言わない。
【００３９】
＊＊＊照明器具１００の製造方法の説明＊＊＊
以下の手順で照明器具１００を製造する。
ヒートシンク８２にＬＥＤ基板８６を取り付ける。
光源ユニット８０にカバー９０を取り付け、光源ユニット８０とカバー９０を一体化した後、中間支柱６１が未装着の支柱枠組５０に光源ユニット８０とカバー９０を挿入する。
あるいは、光源ユニット８０とカバー９０を一体化せず、まず、カバー９０を中間支柱６１が未装着の支柱枠組５０に挿入し、次に、光源ユニット８０を支柱枠組５０に挿入してもよい。
【００４０】
上開口部９４は、光源ユニット８０及びカバー９０と同じサイズ又は光源ユニット８０及びカバー９０のサイズよりわずかに大きいサイズである。したがって、光源ユニット８０及びカバー９０を上開口部９４から下開口部９５に向けて真下に挿入することができる。すなわち、光源ユニット８０及びカバー９０を上から下に落とし込むだけでよい。
光源ユニット８０及びカバー９０のコーナが４個の主支柱の内面に当たりながらスライドして上から下に落とし込まれるので、光源ユニット８０及びカバー９０は、前後左右の位置決めがされた状態で支柱枠組５０に落とし込まれる。
【００４１】
下開口部９５には、主取付部５７が内側に突出しており、下開口部９５は、主取付部５７が存在する部分で、光源ユニット８０及びカバー９０のサイズより小さいサイズとなっている。すなわち、光源ユニット８０及びカバー９０が上から下に落とし込まれると、光源ユニット８０及びカバー９０のコーナが主取付部５７に当たり、光源ユニット８０及びカバー９０のコーナが主取付部５７の上に載った状態で、スライドが終了する。
【００４２】
次に、主取付部５７のネジ穴５９からネジをねじ込み、光源ユニット８０及びカバー９０を主取付部５７に固定する。
光源ユニット８０及びカバー９０を、図７に示す上向きネジ８個のうちの外側の４個のネジ１０１で支柱枠組５０に固定する。
主取付部５７から挿入されたネジは、ＬＥＤ基板８６とカバー９０とのネジ穴を通り、ヒートシンク８２の放熱板８３のネジ穴にねじ込まれる。
ＬＥＤ基板８６とカバー９０とは、主取付部５７と放熱板８３との間で挟持されることになる。
その結果、光源ユニット８０及びカバー９０は、支柱枠組５０の下部に固定される。
【００４３】
その後、以下の順で、照明器具１００が製造される。
天板４０に電源ユニット３０を取り付ける。
天板４０を、支柱枠組５０に取り付ける。天板４０は、４個の主支柱のネジ挿入部６０にネジ止めされる。
天板４０のスカート部４４を、図７に示す横向きの４個のネジ１０２で支柱枠組５０に固定する。照明器具１００の正面と後面はアーム２０が回転するので、スカート部４４によるネジ止めは、両側面だけであり、正面と後面のネジ止めはない。
光源ユニット８０及びカバー９０を支柱枠組５０に固定することで、４個の主支柱の下端の位置が固定され、さらに、天板４０を支柱枠組５０に固定した時点で、４個の主支柱の下端の位置が固定される。こうして、４個の主支柱は平行に固定され、支柱枠組５０は、形状が確定される。
特に、支柱枠組５０の主取付部５７が、照明器具１００の部品の中で最も厚みのある放熱板８３に固定されることにより、支柱枠組５０の形状は確実に維持される。
【００４４】
次に、中間支柱６１を、前後方向から支柱枠組５０の中心方向に向けてはめ込むように取り付ける。
天取付部６５の上面を板部４２の下面に当てて、天取付部６５のネジ穴から、図７に示す下向きの２個のネジ１０３をねじ込むことにより、中間支柱６１は天板４０にネジ止めされる。
また、中間取付部６３の上面をカバー９０の下面に当てて、中間取付部６３のネジ穴６８から、図７に示す上向きネジ８個のうちの中央４個のネジ１０４をねじ込ことにより、中間支柱６１は、光源ユニット８０及びカバー９０にネジ止めされる。中間取付部６３から挿入されたネジ１０４は、カバー９０とＬＥＤ基板８６とのネジ穴を通り、ヒートシンク８２の放熱板８３のネジ穴へねじ込まれる。
ＬＥＤ基板８６とカバー９０とは、中間取付部６３と放熱板８３との間で挟持されることになる。
中間支柱６１は、天板４０のスカート部４４が存在しない部分に取り付けられるので、光源ユニット８０及びカバー９０及び天板４０の前後方向の長さが同じになり、２つの中間支柱６１は、正確に平行に取り付けられることになる。
また、ガード７２に対して支柱板と中間支柱とが外側に取り付けられ、支柱板と中間支柱の板厚が同じなので、主支柱と中間支柱との外側表面は、同一面に存在する。
【００４５】
最後に、アーム２０を支柱枠組５０に取り付ける。
アーム２０は、支柱枠組５０の正面と後面に取り付ける。
具体的には、中間支柱６１の平板穴６６にアーム２０の突起軸２２を嵌めこむ。突起軸２２の好適な例はボルトナットである。
さらに、中間支柱６１の平板穴６７とガード７２のガード穴７５とアーム２０の弧状穴２４とにボルトナット２６あるいは貫通ネジを貫通させて、アーム２０を中間支柱６１とガード７２とに取り付ける。
アーム２０は、突起軸２２を中心にして弧状穴２４の範囲で回転可能となる。
以上のように、支柱枠組５０と照明器具１００の組立には、ネジ止めを用いるが、ネジ止めにおいて、ネジ止めする２個の部品の板厚が異なる場合、ネジを、まず板厚の薄い部品を通し、次に板厚の厚い部品にネジこむようにすることが好ましい。
部品の板厚が異なる場合の具体例は以下のとおりである。
Ａ．放熱板の板厚＞主支柱の板厚
Ｂ．放熱板の板厚＞中間支柱の板厚
Ｃ．主支柱の板厚＞天板の板厚
Ｄ．中間支柱の板厚＞天板の板厚
Ｅ．ガードの板厚＞主支柱の板厚
Ｆ．ガードの板厚＞中間支柱の板厚
【００４６】
＊＊＊実施の形態の効果の説明＊＊＊
本実施の形態によれば、主支柱、中間支柱、及び、ガードの各部品をばらばらに製造して組み合わせることにより、複数種類のサイズの支柱枠組を製造することができる。このため、各部品の材料の歩留りを抑止でき、筐体寸法違いでも部品共有化ができ、さらに、照明器具の組立が容易であり、加工費を抑制することができる。
【００４７】
本実施の形態によれば、ＬＥＤ８１の配置に合わせて放熱フィン８４を配置しているので、放熱効果が高まる。
また、放熱空間９６が、放熱フィン８４の上部から天板４０の下面まで存在するので、天板４０による熱のこもりや温度上昇を無くすことができる。
また、放熱空間９６を４０ｍｍ以上とすることで、天板４０がない状態とほぼ同等の状態を提供することができる。
また、上通気窓９８が放熱空間９６の周囲に存在しているので、放熱空間９６の熱気を外部に排出することができる。
【００４８】
また、フィン隙間８５があるので、左右方向に隣り合う放熱フィン８４の間にある熱気を外部に排出することができる。フィン隙間８５がない場合は、放熱フィン８４が左右方向に繋がった１枚の放熱フィンになり、空気流路が塞がった状態となるため放熱効率が悪化する。
フィン隙間８５があるので、放熱フィン８４の面と直交する方向に熱気を排出することができ、前後左右の四面から空気の流路を確保できるため、温度上昇を減少させることができる。
また、アーム２０が取り付けられた長辺側の側面にフィン隙間８５があるので、短辺側の側面にフィン隙間８５がある場合に比べて、フィン隙間８５の数を多くすることができる。
結果として、ＬＥＤの放熱を自然空冷で行うことができる。
【００４９】
本実施の形態によれば、主取付部５７があるので、支柱枠組５０に対して光源ユニット８０及びカバー９０を落とし込むことができ、製造が容易になる。
また、４個の主支柱がコーナにあり、４個の主支柱が光源ユニット８０及びカバー９０を囲い込むので、光源ユニット８０及びカバー９０を落とし込むだけで、光源ユニット８０及びカバー９０の位置決めができる。
また、主取付部５７があるので、部品の落下を防止することができる。
また、主取付部５７を介してカバー９０をネジ止めしているので、ネジからカバー９０へのねじ締め応力を、主取付部５７の面で受けることができる。その結果、ねじ締め応力を主取付部５７の面全体に分散でき、プラスチック製のカバー９０の割れを防ぐことができる。
主取付部５７を介することなくカバー９０をネジ止めした場合、カバー９０のネジの頭部が当たった小さい面積の部分にねじ締め応力が集中するので、カバー９０の割れが生じやすくなる。
同様に、中間取付部６３を介してカバー９０をネジ止めしているので、プラスチック製のカバー９０の割れを防ぐことができる。
また、中間支柱６１がカバー９０の長辺の中央に固定されているので、プラスチック製のカバー９０の変形及びゆがみを防ぐことができる。
本実施の形態によれば、支柱枠組５０の上部を金属製の天板４０で固定し、支柱枠組５０の下部を金属製の放熱板８３で固定しているので、主支柱とガードという骨枠だけの支柱枠組５０を用いたとしても、堅固な照明器具１００を提供することができる。
【００５０】
＊＊＊他の構成＊＊＊
【００５１】
支柱枠組５０を組み立てる際に、中間支柱６１を支柱枠組５０に先に取り付けてもよい。具体的には、アーム２０の邪魔にならないように、図示していない機構により、中間支柱６１をガード７２にネジ止めすればよい。
支柱枠組５０を組み立てる際に中間支柱６１をガード７２にネジ止めした場合は、上開口部９４には天取付部６５が内側に前後２か所で突出することになる。
天取付部６５が光源ユニット８０及びカバー９０の挿入を邪魔する場合には、光源ユニット８０及びカバー９０の外周部が上開口部９４の天取付部６５に当たらないように、光源ユニット８０及びカバー９０を斜めにして上開口部９４に挿入すればよい。光源ユニット８０及びカバー９０が上開口部９４の天取付部６５を通過した後、光源ユニット８０及びカバー９０を水平にして光源ユニット８０及びカバー９０を上から下に落とし込むことができる。
【００５２】
中間支柱６１には、天取付部６５がなくてもよい。天取付部６５がない場合は、中間支柱６１を支柱枠組５０に先に取り付けても、光源ユニット８０及びカバー９０を水平にしたまま支柱枠組５０に落とし込むことができる。
【００５３】
中間支柱６１には、中間取付部６３がなくてもよい。中間取付部６３がない場合は、光源ユニット８０及びカバー９０は、主支柱のみに固定される。
【００５４】
ガードは、上下方向に１個だけでなく、複数のガードを設けてもよい。具体的には、支柱板５５と支柱板５６には、ネジ穴５８が上下方向に３個あるので、ガードを上下方向に最大３個まで設けることができ、最大２個の追加のガードを設けることができる。追加のガードは、板状である必要はなく、通気性を保つ好適な例として、棒状ガード、網ガード、又は、メッシュガードがある。
【００５５】
ガードは、上下方向の中央に設けなくてもよい。支柱板５５と支柱板５６には、ネジ穴５８が上下方向に３個あるので、上中下のいずれかの位置にガードが取り付けられればよい。
【００５６】
図３に示すガード７１は、なくてもよい。ガード７１がなければ、通気性が向上する。
【００５７】
中間支柱は、１個だけでなく、複数設けてもよい。中間支柱を複数設ければ、支柱枠組５０の強度が増加するとともに、ガードとしても機能する。
【００５８】
照明器具１００の天井への取付において、アーム２０を用いない場合は、アーム２０と中間支柱６１はなくてもよい。中間支柱６１がない場合、支柱枠組５０を主支柱とガードのみで製造することができる。
締結部品として、ネジの代わりに、ボルトナットを用いてもよい。又は、リベットを用いてもよい。
【００５９】
天板４０から通気をするために、天板４０を、網天板、又は、メッシュ天板としてもよい。
あるいは、放熱効果を高めるために、天板４０を使用せず、天板４０の代わりにガードを用いてもよい。
具体的には、図５の上開口部９４の面全体を覆う天板４０の代わりに、図２のガード７１と同様なガードを上開口部９４に２個前後方向に平行に取付けて、これらの２個のガード７１に対して電源ユニット３０を固定すればよい。
あるいは、図２のガード７２と同様なガードを上開口部９４に２個左右方向に平行に取付けて、これらの２個のガード７２に対して電源ユニット３０を固定すればよい。
あるいは、図２のガード７１とガード７２と同様なガードを上開口部９４に２個ずつ井桁状に取付けて、これらのガードの交差部分に対して電源ユニット３０を固定すればよい。
【００６０】
主支柱の支柱板に通気スリットを設けて、支柱板の通気スリットから放熱させてもよい。
ガードに通気スリットを設けて、ガードの通気スリットから放熱させてもよい。
また本実施の形態では、反射鏡８７がカバー９０に一体成形されている場合について説明したが、反射鏡８７はカバー９０と別体であってもよいし、反射鏡８７をレンズなどの他の光学部品に置き換えてもよい。
【００６１】
実施の形態２．
この実施の形態では、前述した各実施の形態と異なる点について説明する。
＊＊＊構成の説明＊＊＊
この実施の形態では、配置空間９２が四角柱であり、ｎ種類の長さのガードを製造し、配置空間が以下のいずれかのサイズである支柱枠組を製造する場合を説明する。
１．ｎ種類のガードから２種類のガードを選択したサイズ。
２．ｎ種類のガードから１種類のガードを選択したサイズ。
好適な例として、長さの比が２：３：４の３種類の長さのガードにより、複数サイズの支柱枠組を製造する場合を説明する。
【００６２】
図１０、図１１、及び、図１２は、支柱枠組５０の平面形状が正四角柱の照明器具１００を示している。
光源ユニット８０は、ＬＥＤ８１は、２×２で配列された４個のＬＥＤ８１を有している。
照明器具１００は、同じ長さのガード７１を使用している。ガード７１にはガード穴７５があるため、ガード７１に対して、中間支柱６１とアーム２０とを取り付けることができる。
【００６３】
図１３、図１４は、支柱枠組５０が２個の柱状の配置空間９２を隣接させて合同空間９３を形成した照明器具１００を示している。
ここで、「合同空間」とは、複数の配置空間を合わせた空間をいう。配置空間は、１個の光源ユニット８０を配置する空間であるが、合同空間は、複数の光源ユニット８０を配置する空間である。
合同空間は、支柱枠組５０の全体内部空間であり、一方の配置空間９２の一つの側面と他方の配置空間９２の一つの側面とを同一面に配置したものである。この同一面を隣接境界という。また、一方の配置空間９２の一つの側面と他方の配置空間９２の一つの側面を隣接側面という。
照明器具１００は、２個の光源ユニット８０を有しており、各光源ユニット８０は、２×３の光源ユニット８０である。２個の配置空間９２のコーナには、４個の主支柱が配置されている。２個の配置空間９２の全てのコーナに主支柱があり、合同空間９３には８個の主支柱がある。
【００６４】
照明器具１００は、上開口部９４と同じサイズの天板４０を２個使用している。
電源ユニット３０は、１個の筐体で構成されている。
【００６５】
照明器具１００は、長さの異なるガード７２とガード７３とを使用している。
ガード７２とガード７３の長さの比は、３：４である。
ガード７２は、中央にガード穴７５を有しているが、ガード７３には、ガード穴７５がない。
２個の配置空間９２が隣り合った隣接側面にはガード７２はない。
したがって、図１３、図１４に示す支柱枠組５０は、実施の形態１に示した支柱枠組５０をガード７１の代わりにガード７３を用いて２個連結し、かつ、隣接側面のガード７２を省略したものである。
図１４の平面図と断面図に示すとおり、２個の配置空間９２が隣り合った隣接側面に、２個の中間支柱６１が取り付けられている。
隣接境界にある２個の中間支柱６１の中間取付部６３は、光源ユニット８０及びカバー９０にネジで固定されている。
隣接境界にある２個の中間支柱６１の天取付部６５は、天板４０の板部４２にネジで固定されている。
中間支柱６１は、外側への突出がないので隣接境界で背中合わせに隣接させることができる。また、隣接側面には、ガード７２がないのでガード７２を止めるネジもないし、スカート部４４のネジもないので、隙間なく隣接させることができる。
また、隣接側面にある２個の中間支柱６１の軸穴２８をボルトナット２６で固定すれば、２個の配置空間の連結が強化される。
２個の支柱枠組５０を締結するために、主支柱５１の支柱板５５と主支柱５２の支柱板５５とをネジ穴５８を介して締結部品で締結している。
合同空間９３の周囲にのみガードがあり、合同空間９３の周囲には、２個のガード７２と２個のガード７３とがある。
ガード７２もガード７３も、合同空間の同一側面に配置された複数の主支柱を連結している。
ガード７３は、両端にネジ穴を有し、中央にガード穴７５はなく、２個のネジ穴を有している。ガード７３は、４個の主支柱を連結しているので、主支柱の支柱板の外側に配置される。
ガード７２は、合同空間の短辺にある側面に配置された２個の主支柱を連結している。
中間支柱６１とアーム２０とは、ガード７２に取り付けられている。
ガード７３は、合同空間の長辺にある側面に配置された４個の主支柱を連結している。
ガード７２の両端は、主支柱の支柱板の内側に締結部品で固定されている。
ガード７３の両端は、主支柱の支柱板の外側に締結部品で固定されている。
ガード７３の中央は、ガード７３の中央にあるネジ穴により、隣り合って接触している２個の主支柱の支柱板の外側に締結部品で固定されている。
【００６６】
図１５、図１６は、支柱枠組５０が２個の柱状の配置空間９２を隣接させて合同空間９３を形成した照明器具１００を示している。
照明器具１００は、２個の光源ユニット８０を有しており、各光源ユニット８０は、２×２の光源ユニット８０である。２個の配置空間９２の全てのコーナに主支柱があるのではなく、２個の配置空間９２の隣り合う隣接側面にあるコーナには主支柱がない。合同空間９３の４か所のコーナのみに主支柱が配置されており、合同空間９３には４個の主支柱がある。
【００６７】
照明器具１００は、上開口部９４と同じサイズの天板４０を２個使用してもよいし、合同空間９３と同じサイズの天板４０を１個使用してもよい。
電源ユニット３０は、１個の筐体で構成されている。
【００６８】
照明器具１００は、長さの異なるガード７１とガード７４とを使用している。
ガード７１とガード７４の長さの比は、２：４である。
ガード７１とガード７４は、中央にガード穴７５を有している。
２個の配置空間９２が隣り合った隣接側面には主支柱はないので、隣接側面にはガード７１はない。
合同空間９３の周囲には、２個のガード７１と２個のガード７４とがある。
ガード７１もガード７４も、合同空間の同一側面に配置された複数の主支柱を連結している。
ガード７４は、両端にネジ穴を有し、中央に、ガード穴７５を有している。
ガード７１は、合同空間の短辺にある側面に配置された２個の主支柱を連結している。
ガード７４は、合同空間の長辺にある側面に配置された２個の主支柱を連結している。
ガード７１の両端は、主支柱の支柱板の内側に締結部品で固定されている。
ガード７４の両端は、主支柱の支柱板の内側に締結部品で固定されている。
ガード７４の中央は、ガード７３の中央にあるガード穴７５により、中間支柱６１とアーム２０を取り付けている。
中間支柱６１は、カバー９０の長辺の中央に固定されているので、プラスチック製のカバー９０の変形及びゆがみを防ぐことができる。
【００６９】
図４に示すとおり、Ｗ９＝Ｗ１０なので、図１５、図１６において、中間支柱６１の中間取付部６３の中間取付部６３のネジ穴６８の位置は、省略された主支柱の主取付部５７のネジ穴５９と同じ位置にある。
したがって、図１５、図１６において、中間支柱６１の中間取付部６３のネジ穴６８は、光源ユニット８０及びカバー９０のネジ穴の位置と一致しており、光源ユニット８０及びカバー９０は、中間支柱６１に、ネジで固定される。
このように、図１５、図１６に示す支柱枠組５０は、図１０、図１１、図１２に示した支柱枠組５０から２個の主支柱と１個のガード７１を省略し、２個のガード７１の代わりにガード７４を用いて２個連結したものである。
【００７０】
配置空間が四角柱であり、ガードの長さの比が２：３：４の３種類のガードがある場合、配置空間９２の水平断面の縦横比が以下のいずれかの縦横比となる支柱枠組を製造することができる。
（１）２：２（図１０）
（２）２：３（図１）
（３）２：４（図１５）
（４）３：３
（５）３：４（図１３）
（６）４：４
【００７１】
また、ガードの長さの比が２：３：４：６の４種類のガードがある場合、さらに以下の縦横比の支柱枠組を製造することができる。
（７）２：６
（８）３：６
（９）４：６
（１０）６：６
【００７２】
理論的には、ｎ種類のガードから２種類のガードを選択する組み合わせ（ｃｏｍｂｉｎａｔｉｏｎ）の総数と、ｎ種類のガードから１種類のガードを選択する組み合わせ（ｃｏｍｂｉｎａｔｉｏｎ）の総数とを加算した数だけ、異なるサイズの支柱枠組５０を組み立てることができる。
【００７３】
また、これらのサイズの支柱枠組５０に対しては、ＬＥＤが２×２、２×３、３×３、４×４で配列された４種類のサイズの光源ユニット８０を以下のように配置することができる。
（１）２：２に対して、１個の２×２（図１０）
（２）２：３に対して、１個の２×３（図１）
（３）２：４に対して、２個の２×２（図１５）
（４）３：３に対して、１個の３×３
（５）３：４に対して、２個の２×３（図１３）
（６）４：４に対して、４個の２×２、又は、１個の４×４
（７）２：６に対して、３個の２×２、又は、２個の２×３
（８）３：６に対して、３個の２×３、
（９）４：６に対して、６個の２×２、又は、４個の２×３
（１０）６：６に対して、９個の２×２、４個の３×３、５個の２×２と１個の４×４、又は、３個の２×２と１個の４×４と１個の２×３
【００７４】
＊＊＊実施の形態の効果＊＊＊
図１３、図１４のように、光源ユニット８０を連結して使用する場合、合わさる面から不要なガードを取り外すことにより、コストの抑制及び、器具軽量化を図ることができる。
図１３、図１４のように、光源ユニット８０を連結して使用する場合でも、配置空間９２の周囲には４個の主支柱があるので、前後左右の位置決めが確実にでき、さらに、主取付部５７により上下方向の位置決めが容易となり組立作業性が向上する。
【００７５】
図１５、図１６のように、光源ユニット８０を連結して使用する場合、合わさる面から不要な主支柱を取り外すことにより、コストの抑制及び、器具軽量化を図ることができる。
図１５、図１６のように、光源ユニット８０を連結して使用する場合、中央に主支柱がなく左右方向に余裕があるので、光源ユニット８０の支柱枠組５０への落とし込みが容易となり組立作業性が向上する。
また、中央に主支柱がなくても、中間支柱６１が天板４０と光源ユニット８０及びカバー９０の長辺を固定することができるので、強度が保てる。
【００７６】
＊＊＊他の構成＊＊＊
図１３において、２個の配置空間９２が隣り合った隣接側面にガード７２を設けてもよい。
具体的には、ガード７２を隣接側面にある主支柱５１の支柱板５５と主支柱５２の支柱板５５との間にはさみ、主支柱５１の支柱板５５とガード７２と主支柱５２の支柱板５５とをネジ穴５８を介してボルトナットで締結する。
あるいは、図８に示したとおり、１個のガード７２を片方の配置空間９２の主支柱の内側に配置して、ガード７２と主支柱５１の支柱板５５と主支柱５２の支柱板５５とをネジ穴５８を介して締結部品で締結する。
又は、２個のガード７２を両方の配置空間９２の主支柱の内側に配置して、ガード７２と主支柱５１の支柱板５５と主支柱５２の支柱板５５とガード７２とをネジ穴５８を介して締結部品で締結する。
【００７７】
ガード７３とガード７４とは構造が異なるが、ガード７３とガード７４との中央に、ガード穴７５と２個のネジ穴を形成して、ガード７３とガード７４とを同一部品にしてもよい。
実施の形態１に示したガード７１がある支柱枠組５０の構成をそのまま用いて、さらに、ガード７１の外側にガード７３を付加して、２個の支柱枠組５０を連結してもよい。
同様に、図１０、図１１、図１２に示したガード７１がある支柱枠組５０の構成をそのまま用いて、さらに、ガード７１の外側にガード７３を付加して、２個の支柱枠組５０を連結してもよい。
【００７８】
合同空間を形成する２個の配置空間の形状は異なっていてもよい。
具体的には、正四角柱の配置空間と長四角柱の配置空間、三角柱の配置空間と四角柱の配置空間との組み合わせが考えられる。
合同空間を形成する配置空間は２個ではなく３個以上でもよい。
合同空間の平面形状は、四角に限らない。ガードを直角に折り曲げてＬ字状のガードにすれば、十字型、Ｔ字型、Ｌ字型、Ｅ字型の合同空間を形成できる。
【００７９】
実施の形態３．
この実施の形態では、前述した各実施の形態と異なる点について説明する。
＊＊＊構成の説明＊＊＊
図１７は、主支柱とガードを組み合わせた支柱枠組５０の簡略平面図である。
（ａ）のように、支柱枠組５０の平面形状が六角形でもよい。
（ｂ）のように、支柱枠組５０の平面形状が八角形でもよい。
（ｃ）のように、支柱枠組５０の平面形状が長尺の六角形でもよい。
（ｄ）のように、支柱枠組５０の平面形状が台形形でもよい。
（ｅ）のように、支柱枠組５０の平面形状が円形でもよい。
（ｆ）のように、支柱枠組５０の平面形状が平行四辺形でもよい。
このように、支柱枠組５０の外形は、多角柱形状又は円柱形状でもよい。
図１７のように、主支柱の２枚の支柱板の交差角度を９０度以外にすることにより、四角柱以外の柱状の配置空間を提供することができる。
２枚の支柱板の交差角度が９０度超の主支柱のみを使用すれば、五角柱以上の支柱枠組５０を提供できる。
また、（ｄ）又は（ｆ）のように、２枚の支柱板の交差角度が９０度未満である主支柱と交差角度が９０度超である主支柱とを使用すれば、複雑な形状の支柱枠組５０を提供できる。
また、図示しないが、支柱枠組５０の外形は、角錐台形状又は円錐台形状でもよい。
【００８０】
図１８は、主支柱の他の例を示す斜視図である。
図１８の主支柱５３は、支柱板５５と支柱板５６とが、同じ構造を有している。
すなわち、支柱板５５と支柱板５６とは、以下を有している。
Ａ．ネジ穴５９のある主取付部５７
Ｂ．３個のネジ穴３８
Ｃ．ネジ挿入部６０
したがって、四角柱の複数の位置に同一形状の主支柱５３を配置することがきる。
主支柱５３は、四角柱のすべてのコーナに用いることができ、部品の共通化が図れる。
【００８１】
実施の形態４．
本実施形態の照明器具の主となる構成は、前述した実施の形態の照明器具と同様である。
【００８２】
＊＊＊構成の説明＊＊＊
まず、全体の構成について説明する。
照明器具１００は、アーム２０と、天板４０と、支柱枠組５０と、光源ユニット８０と、レンズユニット９５０と、カバー９０と、落下防止ワイヤー１４０と、端子台ユニット２００とを備えている。
【００８３】
本実施形態の照明器具１００は、交流電圧（ＡＣ）を直流電圧（ＤＣ）に変換して出力する電源装置６００を有していない。電源装置６００は天井裏に配置されており、照明器具１００は、天井裏に配置されている電源装置６００からの電線を端子台ユニット２００に接続するものである。
電源装置６００は、照明器具１００の外部に設置されている。
電源装置６００は、交流電圧（ＡＣ）を直流電圧（ＤＣ）に変換して直流電圧（ＤＣ）を端子台ユニット２００に供給する。
【００８４】
（アーム２０）
アーム２０は、Ｕ字形状をしており、天井などの被取部に当接する固定面２１と、固定面の両端より形成された支持部２５を有している。固定面２１には、吊ボルトなどの固定具が挿し込まれる固定孔２３が形成されている。支持部２５は、光源ユニット８０が支持部２５に対して摺動できるように、光源ユニット８０を支持する。
【００８５】
（天板４０）
天板４０は、光源ユニット８０の放熱フィン８４からの放熱が十分に行えるように距離を設けて形成されている。
天板４０は、光源部８９へ埃などの蓄積を抑制している。
天板４０は、平板状の主板部４１と、主板部４１の４つの側辺より、直交して下方向Ｚ２（図１９に図示）へ突設した立上部４３を有している。
立上部４３の端子台ユニット２００と対向する箇所には、端子台用の開口部４５が形成されている。
端子台用の開口部４５は、端子台ユニット２００の入力面２１１と対向する位置に設けられている。
立上部４３の中間支柱５３２が取り付けられる箇所には、中間支柱用の開口部４６が形成されている。
中間支柱用の開口部４６は、平行な２つの側辺に形成された立上部４３の中央に形成されている。
端子台用の開口部４５は、中間支柱用の開口部４６が形成された立上部４３と直交する立上部４３の中央に形成されている。
開口部４５を形成している天板４０の端部と立上部４３の端部とは、１８０度折り返すヘミング加工がされており、開口部４５を形成している端部は曲面（Ｒ面）になっている。
【００８６】
（支柱枠組５０）
支柱枠組５０は、Ｈ型をした１対のＨ型支柱５３１と、Ｈ型支柱５３１の間に配設されて１対の中間支柱５３２を有している。
中間支柱５３２には、アーム２０が取り付けられている。アーム２０は、突起軸２２を中心に回転可能に取り付けられている。
【００８７】
（光源ユニット８０）
光源ユニット８０は、複数の放熱フィン８４と、複数の放熱フィン８４が取り付けられたベース８８と、ベース８８に取り付けられた光源部８９を有している。ベース８８には複数の光源部８９が配設されている。図２１では、光源部８９が６個配置されている。照明器具１００の要求スペックによって配置数量は変更できる。また、光源部８９は、ＣＯ（Ｃｈｉｐ・Ｏｎ・Ｂｏａｒｄ）がソケットに固定されているものであるが、ＳＭＤ（Ｓｕｒｆａｃｅ・Ｍｏｕｎｔ・Ｄｅｖｉｃｅ）パッケージの発光ダイオード又は有機エレクトロルミネッセンスでも良い。
【００８８】
（レンズユニット９５０）
レンズユニット９５０は、複数の円錐台形状をしたレンズ９５１が、レンズ保持部９５２に取り付けられたものである。
カバー９０は、一面が開口をした箱形状をしており、光源部８９とレンズユニット９５０を覆うようにベース８８に固定されている。
【００８９】
（落下防止ワイヤー１４０）
落下防止ワイヤー１４０は、ワイヤー１４１の一端が中間支柱５３２に連結され、他端に被取付部に固定される取付部１４２が連結されたものである。落下防止ワイヤー１４０は、照明器具１００の落下を防止するものである。
【００９０】
（端子台ユニット２００）
端子台ユニット２００は、図２１に示すように端子台２１０とケース２２０を有している。
【００９１】
（端子台２１０）
端子台２１０は、直方体形状あるいは略箱形状をしている。
端子台２１０は、入力電線１４４を接続する入力部２１１ａｂと出力電線１４５を接続した出力面２１２とを有する。
【００９２】
端子台２１０は、以下の６面を有する。各面は、隣の面と直交している。
（１）入力面２１１
（２）出力面２１２
（３）背面２１３
（４）上面２１５
（５）側面２１６
（６）下面２１７
【００９３】
（入力面２１１）
入力面２１１は、電源装置６００からの入力電線１４４が挿し込まれる面である。
入力面２１１は、入力部２１１ａｂが配置された凸面２１１ａと、凸面２１１ａより段違いにへこんだ凹面２１１ｂとを有する。
入力面２１１は、背面２１３まで貫通した取付孔２１４を有している。
凸面２１１ａは、中央に取付孔２１４が形成された平面である。
凸面２１１ａは、「＋」と「−」が併記された２個の入力部２１１ａｂがある。
凹面２１１ｂは、凸面２１１ａと平行な面であり、凸面２１１ａと段差がある平面である。
凸面２１１ａと凹面２１１ｂとの段差は、天板４０の厚さ以上である。
【００９４】
（出力面２１２）
出力面２１２は、入力面２１１と直交する面である。
出力面２１２は、電力を出力する出力電線１４５が挿し込まれた出力部２１２ａを有する。
出力面２１２には、「＋」と「−」が併記された２個の出力部２１２ａがある。
【００９５】
（背面２１３）
背面２１３は、入力面２１１と反対の面である。
背面２１３は、入力面２１１と反対の方向に突出した１対の突起部２１３ａを有する。
突起部２１３ａは、円柱形状をしており、離間して２個形成されている。
突起部２１３ａは、端子台２１０をケース２２０に位置決めするものである。
背面２１３は、入力面２１１からの取付孔２１４がある。
【００９６】
（ケース２２０）
ケース２２０は、端子台２１０の一面を露出させた挿入面２２１を有する。
ケース２２０は、一面に挿入面２２１を有する箱形状をしており、端子台２１０を収納している。
【００９７】
（カバー面２２７）
ケース２２０は、端子台２１０の上面２１５以外の五面を覆ったカバー面２２７を有する。
カバー面２２７の五面とは、図２２に示すとおり、以下の面である。
（１）ケース前面２２２
（２）ケース背面２２３
（３）ケース底面２２４
（４）第１ケース側面２２５
（５）第２ケース側面２２６
【００９８】
カバー面２２７は、入力部２１１ａｂを露出させた入力開口部２２２ａを有する。
カバー面２２７は、出力面２１２に接続された出力電線１４５を引き出した切欠き部２２３ｃを有する。
【００９９】
ケース前面２２２と、ケース背面２２３と、第１ケース側面２２５と、第２ケース側面２２６とは、ケース底面２２４から直角に折り曲げられた面であり、ケース底面２２４とだけ連続している。
ケース前面２２２と、ケース背面２２３と、第１ケース側面２２５と、第２ケース側面２２６とは、ケース底面２２４以外の面とは接合されていない。
なお、ケース２２０は、折り曲げにより形成されるのではなく、部分的に接続されて形成されてもよいし、一体に成形されていてもよい。
【０１００】
（ケース前面２２２）
カバー面２２７は、ケース前面２２２を有する。
ケース前面２２２は、入力面２１１の一部を覆うとともに、入力面２１１にある入力部２１１ａｂを入力開口部２２２ａから露出させている。
ケース前面２２２は、凸面２１１ａを露出させた入力開口部２２２ａと、凹面２１１ｂを覆った表示面２２２ｂとを有する。
入力開口部２２２ａと表示面２２２ｂとは、同一平面にあり隣接している。
入力開口部２２２ａは、矩形の開口であり、挿入面２２１から連続してケース底面２２４まで開口している。
表示面２２２ｂは、挿入面２２１からケース底面２２４までを覆う矩形平面である。
【０１０１】
（ケース背面２２３）
ケース背面２２３は、端子台２１０の背面２１３と対向しており、端子台２１０の背面２１３を覆う面である。
ケース背面２２３は、ケース前面２２２と反対にある。
ケース背面２２３は、端子台２１０を固定するためのネジが係合する係合部２２３ａを有する。
係合部２２３ａは、端子台２１０の取付孔２１４に挿入されたネジ１０５と係合して、端子台２１０をケース２２０に固定する。
ケース背面２２３は、突起部２１３ａが挿し込まれて突起部２１３ａを受ける２個の突起受部２２３ｂを有する。
ケース背面２２３は、出力電線１４５が配置される電線用の切欠き部２２３ｃを有する。
切欠き部２２３ｃは、挿入面２２１から連続している矩形の開口である。
なお、切欠き部２２３ｃを形成している３辺に、１８０度折り返すヘミング加工を施して、切欠き部２２３ｃを形成している端部を曲面（Ｒ面）にしてもよい。
【０１０２】
（挿入面２２１）
挿入面２２１は、端子台２１０が挿しこまれる挿し込み開口を有する。
挿し込み開口は、端子台２１０の上面２１５及び下面２１７が挿入できる形状をしている。
挿し込み開口の幅Ｈ、すなわち、ケース前面２２２とケース背面２２３との間隔は、端子台２１０の入力面２１１の凸面２１１ａと出力面２１２との幅よりも小さい。
挿し込み開口の幅Ｈは、端子台２１０の入力面２１１の凹面２１１ｂと背面２１３との幅よりも大きい。
挿入面２２１の周囲すなわち挿し込み開口の周部には、ケース２２０を天板４０などの取付部品に取り付けるための取付片２２１ａが設けられている。
取付片２２１ａは、図２２に示すように、第１ケース側面２２５とケース底面２２４と第２ケース側面２２６と直交して、庇状に、３個形成されている。
取付片２２１ａは、中央にケース取付孔２２１ａａを有する。
取付片２２１ａは、ケース取付孔２２１ａａに挿入されたネジ１０６により、ケース２２０を天板４０に固定する。
【０１０３】
図２３は、図２０に示した端子台ユニット２００のＡ−Ａ断面図である。
図２３を用いて、端子台ユニット２００のＡ−Ａ断面における特徴を説明する。
【０１０４】
（特徴１：干渉抑制）
ケース２２０の表示面２２２ｂは、端子台２１０の凸面２１１ａより外側にならないように形成されている。すなわち、凸面２１１ａが表示面２２２ｂより突き出すように形成されている。このため、凸面２１１ａの入力部２１１ａｂに挿し込まれる入力電線１４４が表示面２２２ｂの端面（小口）に引っ掛かるなどで入力電線１４４が表示面２２２ｂと干渉することを抑制している。
また、ケース２２０の表示面２２２ｂにより出力部２１２ａが覆われているので、出力部２１２ａと出力電線の接続部とを保護することができる。
また、入力面２１１と切欠き部２２３ｃとが、反対の位置にあるので、入力電線１４４と出力電線１４５とが干渉することを抑制している。（特徴２：安定固定）
端子台２１０が凸面２１１ａと凹面２１１ｂを有することで、凹面２１１ｂを表示面２２２ｂと対向するように端子台２１０を配置することができる。つまり、端子台２１０の固定を安定させることができる。
【０１０５】
（特徴３：端子台２１０を挿入するための間隔）
端子台２１０の凹面２１１ｂと表示面２２２ｂとの間には、長さＸ１の間隔があいている。この長さＸ１は突起部２１３ａの長さＸ２と同じ又は略同等である。
端子台２１０をケース２２０に挿入するときに、突起部２１３ａがケース２２０に干渉するのを抑制することができる。
あるいは、長さＸ１の間隔を突起部２１３ａの長さＸ２よりわずかに小さくして、ケース前面２２２とケース背面２２３の間隔を広げながら端子台２１０をケース２２０に挿入してもよい。ケース前面２２２と、ケース背面２２３と、第１ケース側面２２５と、第２ケース側面２２６とを、ケース底面２２４以外の面とは接合しないようにすることで、挿入時にケース前面２２２とケース背面２２３との間隔を広げることができ、ケース前面２２２とケース背面２２３の間隔を広げながら端子台２１０をケース２２０に挿入することができる。
長さＸ１の間隔を突起部２１３ａの長さＸ２よりわずかに小さくして端子台２１０をケース２２０に挿入すれば、一旦、突起部２１３ａが突起受部２２３ｂにはまり込むと、端子台２１０がケース２２０から外れにくくなり、ネジ１０５によるネジ止めが容易になる。
【０１０６】
（端子台ユニット２００の組立方法）
図２４を用いて、端子台ユニット２００の組立方法に関して、説明を行なう。
（１）出力電線１４５の挿入
図２４の（ａ）は、各部品が分解された状態である。
はじめに、図２４の（ａ）の状態から、光源ユニット８０に電力を供給するための出力電線１４５を端子台２１０の出力部２１２ａに挿し込む。
【０１０７】
（２）端子台２１０の挿入
次に、端子台２１０を挿入面２２１からカバー面２２７の内部に挿入して、端子台２１０をケース２２０に挿入する。端子台ユニット２００は、端子台２１０の五面を覆ったカバー面２２７と端子台２１０の一面を露出させる挿入面２２１とを有しており、端子台２１０の下面２１７を挿入面２２１からケース２２０に挿入することができる。
その際、凸面２１１ａが入力開口部２２２ａに配置され、凹面２１１ｂが表示面２２２ｂと対向するように、端子台２１０をケース２２０に挿入する。
【０１０８】
（３）突起部２１３ａの嵌め込み
そして、端子台２１０をケース２２０に挿入した状態で、背面２１３にある突起部２１３ａをケース背面２２３の突起受部２２３ｂに嵌め込む。
こうして、突起部２１３ａは突起受部２２３ｂと係合する。
【０１０９】
（４）出力電線１４５の引き出し
その際、カバー面２２７の入力開口部２２２ａから入力部２１１ａｂを露出させる。また、カバー面２２７の切欠き部２２３ｃから入力部２１１ａｂに接続された出力電線１４５を引き出しておく。こうして、出力電線が切欠き部２２３ｃに配置される。
【０１１０】
（５）端子台２１０の固定
端子台２１０が、挿入面２２１よりケース２２０に挿入され収容されて端子台２１０がケース２２０に配置されたら、ネジ１０５を端子台２１０の取付孔２１４を介して係合部２２３ａに係合させ、図２４の（ｂ）のように端子台２１０をケース２２０に固定する。
これで、端子台ユニット２００が完成する。
【０１１１】
（照明器具１００の組立方法）
（６）端子台ユニット２００の固定
次に、図２４の（ｃ）のように端子台ユニット２００を天板４０に固定する。
主板部４１のネジ穴にネジ１０６を挿入し、ネジ１０６を挿入面２２１の周囲に形成された取付片２２１ａにあるケース取付孔２２１ａａにネジ止めすることにより、端子台ユニット２００を天板４０に固定する。
端子台ユニット２００の天板４０への固定により、挿入面２２１の全面が、天板４０により覆われる。
端子台２１０の凸面２１１ａは、天板４０の開口部４５の中央に配置される。
端子台２１０の凸面２１１ａは、天板４０の開口部４５のエッジからやや奥まった位置に配置される。
入力電線１４４が接続される入力部２１１ａｂを天板４０の開口部４５のエッジより奥まった位置に配置するので、入力部２１１ａｂにある入力電線１４４のむき出し部分を天板４０で覆うことができ、入力電線１４４のむき出し部分に埃が付着することを防止する。
【０１１２】
（７）器具の組み立て
次に、光源ユニット８０を、支柱５５０の一端に固定する。また、天板４０を支柱５５０の他端に固定する。その際、端子台ユニット２００を光源ユニット８０と天板４０との間に配置する。
また、レンズユニット９５０をカバー９０に収納して、レンズユニット９５０とカバー９０を光源ユニット８０の下面に取り付ける。
【０１１３】
（８）中間支柱５３２の固定
次に、１対の中間支柱５３２を、支柱５５０の中間位置で、中心方向に向けてはめ込むように取り付ける。
主板部４１のネジ穴から、ネジをねじ込むことにより、中間支柱５３２の折り曲げられた一端の上面が天板４０にネジ止めされる。
また、中間支柱５３２の折り曲げられた他端の上面をカバー９０の下面に当てて、中間支柱５３２の折り曲げられた他端のネジ穴から、４個のネジをねじ込ことにより、中間支柱６１は、光源ユニット８０及びカバー９０にネジ止めされる。
また、光源部８９とレンズユニット９５０とは、中間支柱５３２とベース８８との間で挟持されることになる。
中間支柱５３２は、天板４０の立上部４３が存在しない開口部４６に取り付けられ、１対の中間支柱５３２は、平行に取り付けられることになる。
（９）アーム２０の取り付け
最後に、アーム２０と落下防止ワイヤー１４０とを中間支柱５３２に取り付ける。
アーム２０は、中間支柱５３２に取り付けられた突起軸２２を中心に回転可能に取り付ける。すなわち、アーム２０は、照明器具１００の側面に設けられた１対の回転軸を中心にして回転可能に取り付けられる。
落下防止ワイヤー１４０のワイヤー１４１は、中間支柱５３２の孔に取り付ける。
これで、照明器具１００が完成する。
【０１１４】
＊＊＊照明器具の特徴＊＊＊
本実施の形態の照明器具１００の特徴は、以下のとおりである。
照明器具１００は、複数の支柱５５０と、複数の支柱５５０の一端に固定された光源ユニット８０と、支柱５５０の他端に固定された天板４０を有する。
また、照明器具１００は、天板４０の光源ユニット８０側において天板４０に固定された端子台ユニット２００を備えている。
【０１１５】
端子台ユニット２００は、光源ユニット８０と間隔をあけて天板４０に固定されている。
【０１１６】
天板４０は、板状の主板部４１と、主板部４１の周囲に配置された立上部４３とを有している。
主板部４１は、端子台ユニット２００を端部に固定している。
立上部４３は、端子台ユニット２００が固定された端部に開口部４５を有する。
【０１１７】
照明器具は、側面に設けられた回転軸を中心にして回転可能に取り付けられたアーム２０を有する。
端子台ユニット２００は、回転軸が取り付けられていない側面に配置されている。
【０１１８】
端子台ユニット２００は、直方体形状の端子台２１０と、端子台２１０を収納した箱形状のケース２２０と
を備えている。
ケース２２０は、端子台２１０の五面を覆ったカバー面２２７と、端子台２１０の一面を露出させた挿入面２２１とを有する。挿入面２２１は、ケース２２０を天板４０に固定する取付片２２１ａを有する。
【０１１９】
＊＊＊実施の形態の効果の説明＊＊＊
端子台ユニット２００及び端子台ユニット２００を有する照明器具１００の効果は以下のとおりである。
【０１２０】
（効果１）
端子台ユニット２００は天板４０の光源ユニット８０が配置された側に設置されている。また、アーム２０を除き天板４０の上面には部品が存在しない。従って、天板４０とアーム２０の固定面２１との間を大きくすることができ、固定孔２３に吊りボルトを挿通してナットで固定する作業を容易にすることができる。
また、天板４０に積載される部材が少なくなることで清掃が容易になる。
また、端子台ユニット２００は放熱フィン８４と所定の間隔Ｉ（図２０に図示）を設けるように天板４０に取り付けられていることで、端子台２１０が放熱フィン８４からの放熱の影響を抑制することができる。
また、天板４０に端子台用切欠きとして開口部４５が形成されていることとで、端子台２１０への電線を挿入する作業を容易にすることができる。
また、開口部４５を形成している天板４０の端部は、ヘミング加工により曲面（Ｒ面）になっている。よって、天板４０の板小口が入力電線１４４を損傷させないようになっている。なお、立上部４３の端部にもヘミング加工を施してもよい。
更に、切欠き部２２３ｃを形成している３辺にも、ヘミング加工により曲面（Ｒ面）を形成し、切欠き部２２３ｃの板小口が出力電線１４５を損傷することを抑制してもよい。
また、ヘミング加工により、天板４０と立上部４３と切欠き部２２３ｃの端部の強度が増す。
【０１２１】
（効果２）
端子台ユニット２００は、前述した組立方法によって端子台ユニット２００を組み立てられ、天板４０に取り付けられる。よって、公知文献２の端子台ユニットよりも、部材数と組み立て作業数とを減らすことができる。
また、出力電線用の切欠き部２２３ｃは、挿し込み用の挿入面２２１と連続して開口している。よって、端子台２１０をケース２２０に挿し込むとき、出力電線を切欠き部２２３ｃに配置することができ、配線作業を容易にすることができる。
【０１２２】
（効果３）
端子台ユニット２００は、ケース前面２２２に表示面２２２ｂを有している。表示面とは、文字又はマークを表示する面である。端子台２１０の凸面２１１ａが配置される入力開口部２２２ａの側方に表示面２２２ｂを有している。端子台２１０の凸面２１１ａは外部から目視できる部分であるから、表示面２２２ｂも外部から見えやすいところに配置することができる。
さらに、この表示面２２２ｂに、“プラスとマイナスの挿し込みを注意”との記載をしてもよい。表示面２２２ｂは、光源ユニット８０の損傷を抑制する保護機能を有する。
【０１２３】
（効果４）
端子台ケース２２０は、図２２に示す端子台２１０の側面２１６、下面２１７と近接して対向するように設けられた第１ケース側面２２５とケース底面２２４を有している。
よって、取付孔２１４を介して係合部２２３ａにネジを係合させ固定するときに、側面２１６が第１ケース側面２２５と当接し、又は、下面２１７がケース底面２２４に当接する。このように、端子台２１０の回転（ネジの回転による）を抑制して固定することができる。よって、端子台２１０の取り付けを容易にすることができる。
【０１２４】
（変形例）
端子台ユニット２００が固定される取付部品は、天板４０でなくてもよく、支柱５５０、中間支柱５３２、又は、ベース８８でもよい。
端子台ユニット２００を支柱５５０の内側に固定して、端子台ユニット２００を放熱フィン８４がない空間に配置してもよい。
端子台ユニット２００を中間支柱５３２の内側に固定して、端子台ユニット２００を放熱フィン８４がない空間に配置してもよい。
端子台ユニット２００をベース８８の上面に固定して、端子台ユニット２００を放熱フィン８４がない空間に配置してもよい。
端子台２１０の形状が略直方体形状の場合を説明したが、端子台２１０の形状は、略直方体形状以外の場合でもよく、円柱形状、三角柱形状、六角柱形状などでもよい。ケース２２０の形状は、端子台２１０の形状に適合している形状であればよい。ケース２２０は、挿入面２２１と、入力開口部２２２ａと、切欠き部２２３ｃを有し、端子台を覆う形状であればよい。
【０１２５】
実施の形態５．
実施の形態５では、前述した実施の形態と異なる点について説明する。
【０１２６】
＊＊＊構成の説明＊＊＊
図２５は、実施の形態５における照明器具の斜視図である。
図２６は、実施の形態５における端子台ユニットの斜視図と分解斜視図である。
実施の形態５が実施の形態４と異なる点は、端子台ユニット２００の構成である。
【０１２７】
実施の形態５の端子台ユニット２００は、入力電線１４４を接続する受電セット２５０と、受電セット２５０を収納したケース２２０とを備える。
受電セット２５０は、入力電線１４４を接続する端子台２１０と、端子台２１０に入力電線１４４が誤接続された場合に端子台２１０の動作を停止する保護部２３０とを有する。
【０１２８】
（端子台２１０）
端子台２１０は、直方体形状の筐体を有し、出力電線１４５を接続した出力面２１２を有する。
端子台２１０は、入力電線１４４を接続する入力部２１１ａｂと出力電線１４５を接続した出力面２１２とを有する。
端子台２１０は、実施の形態５の端子台２１０と同じものである。
【０１２９】
（ケース２２０）
ケース２２０は、端子台２１０と保護部２３０とが収容される直方体の空間を有する。
ケース２２０は、受電セット２５０の五面を覆ったカバー面２２７と、受電セット２５０の一面を露出させた挿入面２２１とを有する。
【０１３０】
カバー面２２７は、ケース前面２２２に、入力部２１１ａｂを露出させた入力開口部２２２ａを有する。また、ケース背面２２３の中央に、出力面２１２に接続された出力電線１４５を引き出した引出部２７０を有する。
また、ケース背面２２３に、突起受部２２３ｂと突起受部２２３ｄとを有する。
【０１３１】
（保護部２３０）
保護部２３０は、ケース２２０で覆われている。
保護部２３０は、ケース前面２２２で覆われており、表示面２２２ｂの背後に配置されている。
保護部２３０は、電線が逆挿しされた場合に電流が流れないようにするものである。
保護部２３０は、直方体形状の筐体を有し、出力面２１２に装着電線２６０で接続されている。
保護部２３０は、保護用端子台２３１とダイオード２３２を有している。
保護部２３０は、端子台２１０の出力面２１２に装着電線２６０を介して装着されている。
保護部２３０の背面には、突起受部２２３ｄに差し込まれる突起部２３３を有する。
【０１３２】
図２７は、電源装置６００と照明器具１００との簡易配線図である。
図２７において、電源装置６００は、天井裏に配置されている。
光源ユニット８０には、複数のＬＥＤ８１が直列に接続されている。
【０１３３】
保護部２３０は、端子台２１０に入力電線１４４が誤接続された場合に端子台２１０の動作を停止する。
保護部２３０は、端子台２１０へ入力電線１４４のプラスとマイナスを誤って挿しこんでしまったときに、光源ユニット８０へ電流が流れないようにして光源ユニット８０を保護するものである。
保護部２３０は、端子台２１０に入力電線が正常に挿し込まれていないときには、電流が流れないようにする回路を有する。
入力電線のプラスとマイナスを誤って挿しこんでしまったときには、ダイオード２３２に電流が流れる。このとき、ダイオードの電圧が光源部８９の逆電圧より小さくなるために、光源部８９側へ電流が流れずに光源部８９を保護することができる。この保護機構は、電源装置６００が別置きされた照明器具では施工現場にて電線の挿し込みがされるため特に有効である。
【０１３４】
（表示面２２２ｂ）
また、表示面２２２ｂに、入力部２１１ａｂへ“プラスとマイナスの挿し込みを間違えないよう注意”などの記載をすることができる。よって、配線作業の誤作業を抑制することができるとともに、誤作業による光源ユニット８０の損傷を抑制することができる。このように、表示面２２２ｂへの注意書きは、保護部２３０とともに、光源ユニット８０を保護する効果を有する。
【０１３５】
（端子台ユニット２００の組立方法）
端子台２１０と保護部２３０とを装着電線２６０で接続して受電セット２５０を製作する。
次に、出力電線１４５を引出部２７０から引き出して、受電セット２５０を挿入面２２１からカバー面２２７の内部に挿入する。そして、受電セット２５０をケース２２０に挿入しながら、端子台２１０の突起部２１３ａを突起受部２２３ｂに嵌め込む。また、保護部２３０の背面にある突起部２３３を突起受部２２３ｄに嵌め込む。
【０１３６】
更に、端子台２１０をネジ１０５でケース２２０に固定する。
その際、保護部２３０をカバー面２２７に固定せず、保護部２３０の突起部２３３が突起受部２２３ｄに嵌め込まれた状態のまま、保護部２３０をカバー面２２７の内部の空間に配置する。
【０１３７】
実施の形態６．
実施の形態６では、前述した実施の形態と異なる点について説明する。
【０１３８】
＊＊＊構成の説明＊＊＊
図２８は、実施の形態６における電源装置と照明器具の斜視図である。
電源装置６００は、照明器具１００から独立した別置き品ではなく、照明器具１００の一部としてもよい。
電源装置６００を照明器具１００に固定する場合、図２８に示すように、電源装置６００は、天板４０の上でではなく、天板４０の下に配置するのがよい。
電源装置６００は、放熱フィン８４と間隔をあけて、天板４０にネジ止めされて固定される。
【０１３９】
＊＊＊実施の形態の補足＊＊＊
端子台ユニット２００は、実施の形態で説明した照明器具１００への使用に限定されるものでなく、システム天井又はダウンライトなどにも用いてもよい。
前述した実施の形態を組み合わせてもかまわない。
【符号の説明】
【０１４０】
２０  アーム、２１  固定面、２２  突起軸、２３  固定孔、２４  弧状穴、２５  支持部、２６  ボルトナット、２８  軸穴、３０  電源ユニット、４０  天板、４１  主板部、４２  板部、４３  立上部、４４  スカート部、４５  開口部、４６  開口部、５０
支柱枠組、５１  主支柱、５２  主支柱、５３  主支柱、５５  支柱板、５６  支柱板、５７  主取付部、５８  ネジ穴、５９  ネジ穴、６０  ネジ挿入部、６１  中間支柱、６２  平板、６３  中間取付部、６４  補強部、６５  天取付部、６６  平板穴、６７  平板穴、６８  ネジ穴、７１  ガード、７２  ガード、７３  ガード、７４  ガード、７５  ガード穴、８０  光源ユニット、８１  ＬＥＤ、８２  ヒートシンク、８３  放熱板、８４  放熱フィン、８５  フィン隙間、８６  ＬＥＤ基板、８７  反射鏡、８８  ベース、８９  光源部、９０  カバー、９２  配置空間、９３  合同空間、９４  上開口部、９５  下開口部、９６  放熱空間、９８  上通気窓、９９  下通気窓、１００  照明器具、１０１  ネジ、１０２  ネジ、１０３  ネジ、１０４  ネジ、１０５  ネジ、１０６  ネジ、１４０  落下防止ワイヤー、１４１  ワイヤー、１４２  取付部、１４４  入力電線、１４５  出力電線、２００  端子台ユニット、２１０  端子台、２１１  入力面、２１１ａ  凸面、２１１ａｂ  入力部、２１１ｂ  凹面、２１２  出力面、２１２ａ  出力部、２１３  背面、２１３ａ  突起部、２１４  取付孔、２１５  上面、２１６  側面、２１７  下面、２２０  ケース、２２１  挿入面、２２１ａ  取付片、２２１ａａ  ケース取付孔、２２２  ケース前面、２２２ａ  入力開口部、２２２ｂ  表示面、２２３  ケース背面、２２３ａ  係合部、２２３ｂ  突起受部、２２３ｃ  切欠き部、２２３ｄ  突起受部、２２４  ケース底面、２２５  第１ケース側面、２２６  第２ケース側面、２２７  カバー面、２３０  保護部、２３１  保護用端子台、２３２  ダイオード、２３３  突起部、２５０  受電セット、２６０  装着電線、２７０  引出部、５３１  Ｈ型支柱、５３２  中間支柱、５５０  支柱、６００  電源装置、９５０  レンズユニット、９５１  レンズ、９５２  レンズ保持部。
【図１】
2018133260.tif 000003
【図２】
2018133260.tif 000004
【図３】
2018133260.tif 000005
【図４】
2018133260.tif 000006
【図５】
2018133260.tif 000007
【図６】
2018133260.tif 000008
【図７】
2018133260.tif 000009
【図８】
2018133260.tif 000010
【図９】
2018133260.tif 000011
【図１０】
2018133260.tif 000012
【図１１】
2018133260.tif 000013
【図１２】
2018133260.tif 000014
【図１３】
2018133260.tif 000015
【図１４】
2018133260.tif 000016
【図１５】
2018133260.tif 000017
【図１６】
2018133260.tif 000018
【図１７】
2018133260.tif 000019
【図１８】
2018133260.tif 000020
【図１９】
2018133260.tif 000021
【図２０】
2018133260.tif 000022
【図２１】
2018133260.tif 000023
【図２２】
2018133260.tif 000024
【図２３】
2018133260.tif 000025
【図２４】
2018133260.tif 000026
【図２５】
2018133260.tif 000027
【図２６】
2018133260.tif 000028
【図２７】
2018133260.tif 000029
【図２８】
2018133260.tif 000030